(57)【特許請求の範囲】
【請求項１】
光記録媒体から読出された信号を検出する装置において、
ｎ個（ｎは２以上）の検出器よりなる多重検出部と、
前記多重検出部のうち何れか１つの検出器を選択し、その検出器を通じて前記読出し信号を２進信号に変換させる制御部と、
前記ｎ個の検出器のそれぞれより出力される２進信号の品質を測定して制御部に提供し、制御部がそれによって検出器を選択可能にする第２信号品質測定部と、
を含み、
前記第２信号品質測定部は、
検出器の２進信号出力からシンク信号を検出及びカウントし、そのカウント値を前記制御部に提供し、それによって制御部をして各検出器の品質を評価可能にするシンクカウンタを含むことを特徴とする光貯蔵媒体の再生装置。
【請求項２】
光記録媒体から読出された信号を検出する装置において、
ｎ個（ｎは２以上）の検出器よりなる多重検出部と、
前記多重検出部のうち何れか１つの検出器を選択し、その検出器を通じて前記読出し信号を２進信号に変換させる制御部と、を含み、
前記制御部は光貯蔵媒体から読出した信号がヘッダ情報区間であるか否かによって１つの検出器を選択することを特徴とする光貯蔵媒体の再生装置。
【請求項３】
光記録媒体から読出された信号を検出する装置において、
ｎ個（ｎは２以上）の検出器よりなる多重検出部と、
前記多重検出部のうち何れか１つの検出器を選択し、その検出器を通じて前記読出し信号を２進信号に変換させる制御部と、
前記多重検出部に入力される読出し信号の品質関連情報を前記制御部に提供し、制御部がそれによって検出器を選択可能にする第１信号品質測定部と、
光貯蔵媒体より読出したＲＦ信号のジッタを測定し、その測定値を前記制御部に提供し、それによって制御部をして検出器を選択可能にするジッタ検出回路と、を含むことを特徴とする光貯蔵媒体の再生装置。
【請求項４】
光記録媒体から読出された信号を検出する装置において、
ｎ個（ｎは２以上）の検出器よりなる多重検出部と、
前記多重検出部のうち何れか１つの検出器を選択し、その検出器を通じて前記読出し信号を２進信号に変換させる制御部と、
前記多重検出部に入力される読出し信号の品質関連情報を前記制御部に提供し、制御部がそれによって検出器を選択可能にする第１信号品質測定部と、
前記第１信号品質測定部は、
光貯蔵媒体より読出したＲＦ信号の非対称性を測定し、その非対称値を前記制御部に提供し、それによって制御部をして検出器を選択可能にする非対称検出回路を含むことを特徴とする光貯蔵媒体の再生装置。
【請求項５】
前記第２信号品質測定部は、
検出器の２進信号出力からエラーを検出し、そのエラー率を前記制御部に提供し、それによって制御部をして各検出器の品質を評価可能にするエラー検出器を含むことを特徴とする請求項１に記載の光貯蔵媒体の再生装置。
【請求項６】
光記録媒体から読出された信号を検出する装置において、
ｎ個（ｎは２以上）の検出器よりなる多重検出部と、
前記多重検出部のうち何れか１つの検出器を選択し、その検出器を通じて前記読出し信号を２進信号に変換させる制御部と、を含み、
前記制御部は光貯蔵媒体から読出した信号がＣＤ上の信号であるか、ＤＶＤ上の信号であるかの情報を受取って検出器を選択することを特徴とする光貯蔵媒体の再生装置。
【請求項７】
光貯蔵媒体から読出したＲＦ信号を再生する装置において、
前記ＲＦ信号に対してアナログ方式にて検出する第１検出器と、
前記ＲＦ信号をビタビデコーディングして検出する第２検出器と、
前記ＲＦ信号がＣＤ上の信号であるか、ＤＶＤ上の信号であるかによって各々第１検出器や第２検出器を選択して該当検出器から２進信号を出力させる制御器と、を含むことを特徴とする多重検出器を用いた光貯蔵媒体の再生装置。
【請求項８】
光貯蔵媒体から読出したＲＦ信号を再生する装置において、
前記ＲＦ信号のランレングスを補正する第１検出器と、
前記ＲＦ信号をビタビデコーディングして検出する第２検出器と、
前記第１、第２検出器から各々出力された２進信号のシンクカウント数によって、前記第１、第２検出器のうちより大きいシンクカウント数を発生させた検出器を選択し、それより２進信号を出力させる制御部と、を含むことを特徴とする多重検出器を用いた光貯蔵媒体の再生装置。
【請求項９】
光貯蔵媒体から読出したＲＦ信号を再生する装置において、
前記ＲＦ信号のランレングスを補正する第１検出器と、
前記ＲＦ信号をビタビデコーディングして検出する第２検出器と、
前記ＲＦ信号の非対称性が所定基準以上であれば前記第１検出器を選択し、それ以外の場合に前記第２検出器を選択して該当検出器から２進信号を出力させる制御部と、を含むことを特徴とする光貯蔵媒体の再生装置。
【請求項１０】
光貯蔵媒体から読出したＲＦ信号を再生する装置において、
前記ＲＦ信号のランレングスを補正する第１検出器と、
前記ＲＦ信号をビタビデコーディングして検出する第２検出器と、
前記ＲＦ信号がヘッダ区間の信号であれば、前記第１検出器を選択し、それ以外の区間信号であれば第２検出器を選択して該当検出器の２進信号を出力させる制御部と、を含むことを特徴とする多重検出器を用いた光貯蔵媒体の再生装置。
【請求項１１】
光貯蔵媒体から読出したＲＦ信号を再生する装置において、
前記ＲＦ信号を検出して２進信号を発するｎ個（ｎは２以上）の検出器と、
ｎ個の検出器のうち何れか１つの検出器を選択し、その検出器から２進信号を出力させる制御部と、を含み、
前記制御部は、前記ｎ個の検出器それぞれの２進信号に含まれたシンク信号をカウントした値が最も高い検出器を選択することを特徴とする多重検出器を用いた光貯蔵媒体の再生装置。
【請求項１２】
光貯蔵媒体から読出したＲＦ信号を再生する装置において、
前記ＲＦ信号を検出して２進信号を発するｎ個（ｎは２以上）の検出器と、
ｎ個の検出器のうち何れか１つの検出器を選択し、その検出器から２進信号を出力させる制御部と、を含み、
前記制御部は、前記ｎ個の検出器のそれぞれの２進信号に含まれたエラー率が最も低い検出器を選択することを特徴とする多重検出器を用いた光貯蔵媒体の再生装置。
【請求項１３】
光貯蔵媒体から読出したＲＦ信号を再生する装置において、
前記ＲＦ信号を検出して２進信号を発するｎ個（ｎは２以上）の検出器と、
ｎ個の検出器のうち何れか１つの検出器を選択し、その検出器から２進信号を出力させる制御部と、を含み、
前記制御部は、前記ＲＦ信号の非対称性が所定基準以上に高いか否かによってｎ個の検出器のうち何れか１つの検出器を選択することを特徴とする多重検出器を用いた光貯蔵媒体の再生装置。
【請求項１４】
光貯蔵媒体から読出したＲＦ信号を再生する装置において、
前記ＲＦ信号を検出して２進信号を発するｎ個（ｎは２以上）の検出器と、
ｎ個の検出器のうち何れか１つの検出器を選択し、その検出器から２進信号を出力させる制御部を含み、
前記制御部は、前記ＲＦ信号からジッタを検出し、それによってｎ個の検出器のうち何れか１つを選択することを特徴とする多重検出器を用いた光貯蔵媒体の再生装置。
【請求項１５】
光貯蔵媒体から読出したＲＦ信号を再生する装置において、
前記ＲＦ信号を検出して２進信号を発するｎ個（ｎは２以上）の検出器と、
ｎ個の検出器のうち何れか１つの検出器を選択し、その検出器から２進信号を出力させる制御部を含み、
前記制御部は、前記ＲＦ信号がＣＤ上で検出された信号であるか、ＤＶＤ上で検出された信号であるかによってｎ個の検出器のうち何れか１つを選択することを特徴とする多重検出器を用いた光貯蔵媒体の再生装置。
【請求項１６】
光貯蔵媒体から読出したＲＦ信号を再生する装置において、
前記ＲＦ信号を検出して２進信号を発するｎ個（ｎは２以上）の検出器と、
ｎ個の検出器のうち何れか１つの検出器を選択し、その検出器から２進信号を出力させる制御部と、を含み、
前記制御部は、前記ＲＦ信号がヘッダ区間の信号であるか否かによってｎ個の検出器のうち何れか１つを選択することを特徴とする多重検出器を用いた光貯蔵媒体の再生装置。
【発明の詳細な説明】
【０００１】
【発明の属する技術分野】
本発明は光貯蔵媒体再生に係り、特に光貯蔵媒体に記録されたデータを多重検出器を通じて検出して再生安定性を保障する多重検出器を用いた光貯蔵媒体の再生装置に関する。
【０００２】
【従来の技術】
図１は、光貯蔵媒体に記録された、ａ） ２進信号、ｂ） 光貯蔵媒体の表面に記録されたピットの形状、及びｃ） 実際に光貯蔵媒体から読出したＲＦ信号の例を示す図である。
【０００３】
光貯蔵媒体に記録される、ａ）２進信号はレーザー光によりその物理的表面上にピットの形態に記録される。再生時、光貯蔵媒体の表面からピックアップ装置を通じて検出した信号（ピックアップ信号）は、ピックアップ時のレーザー光の光学的周波数特性と読出し回路の周波数特性とによって低域通過フィルターを経てから再生されなければならない。したがって、光貯蔵媒体から読出した信号は記録時の２進信号（ａ）とは同じ形態に存在しない。これをＲＦ信号という。
【０００４】
図２（ａ）は、従来の光貯蔵媒体の再生装置のうち信号検出と関連した回路の例を示す図である。
【０００５】
従来の光貯蔵媒体信号検出は、前処理部２００及び検出器２１０を通じてなる。前処理部２００は、光貯蔵媒体２０から読出したピックアップ信号を処理し（前述したフィルタリングを行うことによって）、ＲＦ信号として出力する。検出器２１０は前処理部２００から出力されたＲＦ信号を２進信号に変えて出力する。
【０００６】
ＲＦ信号を元の２進信号に復元するための複数の回路及び方法が存在し、その中図２の（ｂ）は図２の（ａ）に含まれた検出器２１０としてスライサを採用した検出器回路を示す図である。
【０００７】
検出器２１０は比較器２１１及びフィルター２１２を含む。比較器２１１は前処理部２００から出力されたＲＦ信号を所定レベル（スライサレベル）の信号と比較し、そのレベルより大きなＲＦ信号は“ハイ”と、小さなＲＦ信号は“ロー”と出力することによってＲＦ信号を２進信号に変換させる。フィルター２１２は低域通過フィルターであって比較器２１１からの出力をフィルタリングして二値化レベルを作る。
【０００８】
ＲＦ信号が比較器２１１を通過すれば２進信号を得られるが、この時に比較器の基準レベルを決定することが重要である。比較器２１１の基準レベルは、比較器２１１から出力された２進信号を低域通過フィルターに通過させることによって２進信号の直流成分を追従させた後、このレベルを基準にＲＦ信号を比較する。その比較結果によって二値化された結果が導出される。このようなスライサ検出回路は光貯蔵媒体から読取った信号を２進信号に変換するのに使われる最も代表的なものである。
【０００９】
前述したスライサ方式以外にも光貯蔵媒体から読取ったＲＦ信号を検出し、２進信号に変えるための色々な検出方式が行なわれてきた。
【００１０】
しかし、既存の検出方式に満足せず、光貯蔵媒体の多種化、ＲＦ信号の歪曲原因の多様化につれて、ＲＦ信号からより優れた品質の２進信号を得るための装置及び方法が要求されつつある。
【００１１】
【発明が解決しようとする課題】
本発明が解決しようとする技術的な課題は、２個以上の検出器を用い、光貯蔵媒体のＩＲＦ信号から良質の２進信号を得る、多重検出器を用いた光貯蔵媒体の信号再生装置を提供するところにある。
【００１２】
【課題を達成するための手段】
前記課題を達成するために光記録媒体から読出された信号を検出する装置において、ｎ個（ｎは２以上）の検出器よりなる多重検出部と、前記多重検出部のうち何れか１つの検出器を選択し、その検出器を通じて前記読出し信号を２進信号に変換させる制御部と、前記ｎ個の検出器のそれぞれより出力される２進信号の品質を測定して制御部に提供し、制御部がそれによって検出器を選択可能にする第２信号品質測定部と、を含むことを特徴とする。
【００１３】
前記課題を達成するために光記録媒体から読出された信号を検出する装置において、ｎ個（ｎは２以上）の検出器よりなる多重検出部と、前記多重検出部のうち何れか１つの検出器を選択し、その検出器を通じて前記読出し信号を２進信号に変換させる制御部と、を含み、前記制御部は光貯蔵媒体から読出した信号がヘッダ情報区間であるか否かによって１つの検出器を選択することを特徴とする。
【００１４】
前記課題を達成するために光記録媒体から読出された信号を検出する装置において、ｎ個（ｎは２以上）の検出器よりなる多重検出部と、前記多重検出部のうち何れか１つの検出器を選択し、その検出器を通じて前記読出し信号を２進信号に変換させる制御部と、前記多重検出部に入力される読出し信号の品質関連情報を前記制御部に提供し、制御部がそれによって検出器を選択可能にする第１信号品質測定部と、光貯蔵媒体より読出したＲＦ信号のジッタを測定し、その測定値を前記制御部に提供し、それによって制御部をして検出器を選択可能にするジッタ検出回路と、を含むことを特徴とする。
【００１５】
前記課題を達成するために光記録媒体から読出された信号を検出する装置において、ｎ個（ｎは２以上）の検出器よりなる多重検出部と、前記多重検出部のうち何れか１つの検出器を選択し、その検出器を通じて前記読出し信号を２進信号に変換させる制御部と、前記多重検出部に入力される読出し信号の品質関連情報を前記制御部に提供し、制御部がそれによって検出器を選択可能にする第１信号品質測定部と、前記第１信号品質測定部は、光貯蔵媒体より読出したＲＦ信号の非対称性を測定し、その非対称値を前記制御部に提供し、それによって制御部をして検出器を選択可能にする非対称検出回路を含むことを特徴とする。
【００１６】
前記第２信号品質測定部は、検出器の２進信号出力からシンク信号を検出及びカウントし、そのカウント値を前記制御部に提供し、それによって制御部をして各検出器の品質を評価可能にするシンクカウンタを含むことが望ましい。
【００１７】
前記第２信号品質測定部は、検出器の２進信号出力からエラーを検出し、そのエラー率を前記制御部に提供し、それによって制御部をして各検出器の品質を評価可能にするエラー検出器を含むことが望ましい。
【００１８】
前記課題を達成するために光記録媒体から読出された信号を検出する装置において、ｎ個（ｎは２以上）の検出器よりなる多重検出部と、前記多重検出部のうち何れか１つの検出器を選択し、その検出器を通じて前記読出し信号を２進信号に変換させる制御部と、を含み、前記制御部は光貯蔵媒体から読出した信号がＣＤ上の信号であるか、ＤＶＤ上の信号であるかの情報を受取って検出器を選択することを特徴とする。
【００２９】
前記課題を達成するために光貯蔵媒体から読出したＲＦ信号を再生する装置は、前記ＲＦ信号に対してアナログ方式にて検出する第１検出器と、前記ＲＦ信号をビタビデコーディングして検出する第２検出器と、前記ＲＦ信号がＣＤ上の信号であるか、ＤＶＤ上の信号であるかによって各々第１検出器や第２検出器を選択して該当検出器から２進信号を出力させる制御器を含むことを特徴とする。
【００３０】
前記課題を達成するために光貯蔵媒体から読出したＲＦ信号を再生する装置は、前記ＲＦ信号のランレングスを補正する第１検出器と、前記ＲＦ信号をビタビデコーディングして検出する第２検出器と、前記第１、第２検出器から各々出力された２進信号のシンクカウント数によって、前記第１、第２検出器のうちさらに大きなシンクカウント数を発生させた検出器を選択し、それより２進信号を出力させる制御部と、を含むことを特徴とする。
【００３１】
前記課題を達成するために光貯蔵媒体から読出したＲＦ信号を再生する装置は、前記ＲＦ信号のランレングスを補正する第１検出器と、前記ＲＦ信号をビタビデコーディングして検出する第２検出器と、前記ＲＦ信号の非対称性が所定基準以上であれば前記第１検出器を選択し、それ以外の場合に前記第２検出器を選択して該当検出器から２進信号を出力させる制御部と、を含むことを特徴とする。
【００３２】
前記課題を達成するために光貯蔵媒体から読出したＲＦ信号を再生する装置は、前記ＲＦ信号に対してアナログ方式にて検出する第１検出器と、前記ＲＦ信号をビタビデコーディングして検出する第２検出器と、前記ＲＦ信号がヘッダ区間の信号であれば前記第１検出器を選択し、それ以外の区間信号であれば第２検出器を選択して該当検出器の２進信号を出力させる制御部と、を含むことを特徴とする。
【００３３】
前記課題を達成するために光貯蔵媒体から読出したＲＦ信号を再生する装置は、前記ＲＦ信号を検出して２進信号を発するｎ個（ｎは２以上）の検出器と、ｎ個の検出器のうち何れか１つの検出器を選択し、その検出器から２進信号を出力させる制御部と、を含み、前記制御部は、前記ｎ個の検出器のそれぞれの２進信号に含まれたシンク信号をカウントした値が最も高い検出器を選択することを特徴とする。
【００３４】
前記課題を達成するために光貯蔵媒体から読出したＲＦ信号を再生する装置は、前記ＲＦ信号を検出して２進信号を発するｎ個（ｎは２以上）の検出器と、ｎ個の検出器のうち何れか１つの検出器を選択し、その検出器から２進信号を出力させる制御部と、を含み、前記制御部は、前記ｎ個の検出器のそれぞれの２進信号に含まれたエラー率が最も低い検出器を選択することを特徴とする。
【００３５】
前記課題を達成するために光貯蔵媒体から読出したＲＦ信号を再生する装置は、前記ＲＦ信号を検出して２進信号を発するｎ個（ｎは２以上）の検出器と、ｎ個の検出器のうち何れか１つの検出器を選択し、その検出器から２進信号を出力させる制御部と、を含み、前記制御部は、前記ＲＦ信号の非対称性が所定基準以上に高いか否かによってｎ個の検出器のうち１つの検出器を選択することを特徴とする。
【００３６】
前記課題を達成するために光貯蔵媒体から読出したＲＦ信号を再生する装置は、前記ＲＦ信号を検出して２進信号を発するｎ個（ｎは２以上）の検出器と、ｎ個の検出器のうち何れか１つの検出器を選択し、その検出器から２進信号を出力させる制御部と、を含み、前記制御部は、前記ＲＦ信号からジッタを検出し、それによってｎ個の検出器のうち何れか１つを選択することを特徴とする。
【００３７】
前記課題を達成するために光貯蔵媒体から読出したＲＦ信号を再生する装置は、前記ＲＦ信号を検出して２進信号を発するｎ個（ｎは２以上）の検出器と、ｎ個の検出器のうち何れか１つの検出器を選択し、その検出器から２進信号を出力させる制御部と、を含み、前記制御部は、前記ＲＦ信号がＣＤ上で検出された信号であるか、ＤＶＤ上で検出された信号であるかによってｎ個の検出器のうち何れか１つを選択することを特徴とする。
【００３８】
前記課題を達成するために光貯蔵媒体から読出したＲＦ信号を再生する装置は、前記ＲＦ信号を検出して２進信号を発するｎ個（ｎは２以上）の検出器と、及びｎ個の検出器のうち何れか１つの検出器を選択し、その検出器から２進信号を出力させる制御部と、を含み、前記制御部は、前記ＲＦ信号がヘッダ区間の信号であるか否かによってｎ個の検出器のうち何れか１つを選択することを特徴とする。
【００３９】
【発明の実施の形態】
以下、添付した図面に基づき、本発明を詳細に説明する。
【００４０】
図３は、本発明の多重検出器を用いた光貯蔵媒体の再生装置の実施例を示す図である。
【００４１】
光貯蔵媒体の再生装置は、前処理部３００、多重検出部３１０、遅延部３２０、ＲＦ信号品質測定部３３０、スイッチング部３４０、２進信号品質測定部３５０及び制御部３６０を含む。
【００４２】
前処理部３００は光貯蔵媒体３０から読出した信号をフィルタリングしてＲＦ信号を得る。
【００４３】
多重検出部３１０はＲＦ信号を検出して２進化させるためのｎ個の検出器を含む。ｎ個の検出器はＲＦ信号をそれぞれの検出方式にて検出した二値化結果を出力する。多重検出部３１０に含まれる検出器の例は、図８に基づいて後述される。
【００４４】
遅延部３２０は、本発明の装置においてオプションとしての構成要素であり、ｎ個の検出器に各々連結されてｎ個の各検出器からの二値化結果を遅延させる。これは、多重検出部３１０内の各検出器に入力されるＲＦ信号が信号処理されて二値化結果を出力する信号処理期間が各検出器毎に異なるために、遅延部３２０が各検出器の出力信号を追加遅延させて一定に遅延された２進出力値を得るためである。
【００４５】
ＲＦ信号品質測定部３３０も本発明の装置におけるオプションとして追加される構成であって、多重検出部３１０の各検出器の２進出力信号の品質を測定するために入力されるＲＦ信号の品質を測定してその測定結果を提供する。このようなＲＦ信号品質測定部３３０の代表例としてジッタ検出回路を挙げられる。ジッタ検出回路は、入力される信号に雑音がいかほど混ざっているかを測定する。ジッタ検出回路の出力結果である検出されたジッタ値がＲＦ信号品質測定部３３０の出力情報となる。ジッタ値情報は後述される制御部３６０が検出器を選択する判断要素として提供される。ＲＦ信号品質測定部３３０の他の例として非対称性検出装置があり得る。これは信号の非対称性を検査してその非対称性を数値情報として提供する。このような非対称情報も制御部３６０に提供され、この情報によって制御部３６０は適した検出器選択のための判断を行う。
【００４６】
スイッチング部３４０は制御部３６０から提供される検出器選択（制御）信号を受取って多重検出部３１０に含まれた、選択された該当検出器からの出力信号を選択するためのスイッチである。
【００４７】
２進信号品質測定部３５０は遅延部３２０を通じ、スイッチング部３４０で選択されて出力された２進信号の品質を測定する。２進信号品質測定部３５０の例としてシンクカウンタ回路を挙げられる。光貯蔵媒体には一定周期毎にシンク信号が出る。シンクカウンタ回路の出力は検出器から出た２進信号からシンク信号をカウントした値となる。検出器からの２進信号の品質が劣れば、シンク信号の一定区間毎の正しい検出がなされなくて、シンク信号をカウントしたカウント結果が低く現れる。他の例として、検出器から出力された２進信号をエラー訂正した後、発生されたエラーの数を検出し、一定期間のエラー数を出力する回路があり得る。この回路ではエラー数が低いほど２進信号の品質が高い。
【００４８】
２進信号品質測定部３５０において多重検出部３１０の各検出器からの出力信号の品質を測定するためのテスト期間が与えられる。
【００４９】
制御部３６０は、ＲＦ信号品質測定部３３０及び２進信号品質測定部３５０の出力から検出器の性能を判断し、その結果によって多重検出部３２０内の検出器のうち何れか１つの検出器を選択するための選択制御信号を発する。すなわち、ＲＦ信号のジッタ値を入力された場合、そのジッタ値に基づいて多重検出部３１０の各検出器のうち最適の検出器を選択しうる。またＲＦ信号の非対称情報が入力される場合、非対称の程度によって多重検出部３１０の各検出器のうち適した１つの検出器を選択しうる。ｎ個の検出器が出力した２進信号からカウントしたシンクカウント値を入力された場合、カウント値が最も大きい検出器を選択でき、各検出器のエラー率（エラー数カウント値）を入力された場合にその値が最も小さな検出器を選択できる。
【００５０】
制御部３６０は前述した信号品質以外に、入力される信号がヘッダ信号であるか、使用者データ信号であるかを区分して検出器選択を制御しうる。ヘッダ信号はＤＶＤ−ＲＡＭのように記録可能な光貯蔵媒体で位置情報を有しており、ヘッダ信号に記録されている情報に基づいて現在ピックアップの位置制御や光貯蔵媒体の位置判別などがなされうる。ヘッダ信号がそのような重要情報信号を含むだけ、低いエラー率のために記録時に一般データ信号よりランレングスなどをさらに延ばす等の差別化した符号化アルゴリズムを適用して光貯蔵媒体にヘッダ信号を記録することが一般的である。したがって、ヘッダ信号が入力されれば、制御部３６０はランレングス補正器が含まれた検出器を選択し、ヘッダ信号でない場合にはビタビデコーダのような一般の検出器を選択するなどの制御を行える。
【００５１】
制御部３６０は検出器選択制御信号を発するためのデジタルロジック回路及びマイコンとして具現される。また、制御部３６０は遅延部３２０の遅延程度も設定しうる。
【００５２】
図４は、本発明の多重検出器を用いた光貯蔵媒体の再生装置に関する詳細実施例を示す。この実施例において、光貯蔵媒体の再生装置はＣＤ／ＤＶＤ再生装置であり、第１検出器が内にＣＤ信号を検出するためのアナログ検出器４１０を、第２検出器内にＤＶＤ信号を検出するためのデジタルビタビデコーダ４２０を含む。第１、第２検出器４１０、４２０を選択する選択制御信号は前処理部４００からのＣＤ／ＤＶＤ選択信号となる。すなわち、図４の実施例では、検出器の選択に関する制御部が必要ではない。一般的にＣＤの場合はＤＶＤに比べて相対的に優れた変調度を有しているためにデジタルビタビデコーダ４２０を必要としない。また、ＣＤの場合、既存に開発された検出回路をそのまま使用する場合が多いために伝統的なアナログ方式の検出器を使用する。ＤＶＤの場合、記録密度が高いために読出し信号の検出時にエラーが多発されるので、検出性能を高めるためにビタビデコーダが使用されうる。
【００５３】
図５は、本発明の多重検出器を用いた光貯蔵媒体の再生装置の他の実施例を示す。この実施例において、再生装置は、前処理部５００を通じたＲＦ信号をデジタル信号に変換する（５１０）。デジタル変換された信号は第１検出器５２０または第２検出器５３０を通じて信号検出される。
【００５４】
第１検出器５２０はランレングス補正回路である。第２検出器５３０はビタビデコーダ回路である。
【００５５】
シンクカウンタ５４０は図３の２進信号品質測定部３５０に該当する。
【００５６】
制御部５５０はシンクカウンタ５４０で提供した、第１検出器５２０の出力信号からのシンクカウント値と第２検出器５３０の出力信号からのシンクカウント値とを比較し、そのうちカウント値の大きなものを選択する。
【００５７】
図６は、本発明の多重検出器を用いた光貯蔵媒体の再生装置のさらに他の実施例を示す。この実施例において第１検出器６００はランレングス補正回路である。第２検出器６１０はビタビデコーダ回路である。
【００５８】
ＲＦ信号の品質を測定するために、ＲＦ信号の非対称性を測定する非対称測定部６２０が使われた。
【００５９】
制御部６３０は非対称測定部６２０で検出された、光貯蔵媒体から読出したＲＦ信号の非対称性によって第１検出器６００と第２検出器６１０のうち適したものを選択する。すなわち、ＲＦ信号の非対称性が相対的に激しい場合、ランレングス補正回路である第１検出器６００を選択し、ＲＦ信号の非対称性が相対的に激しくない場合には信号検出特性に優れたビタビデコーダ６１０を選択する。ＣＤやＤＶＤの場合、信号の非対称性が激しいほど１Ｔや２Ｔのようにランレングスに違反する信号が多く検出されうる。したがって、非対称性が一定の基準以上に検出される場合にランレングス補正回路の第１検出器６００を選択し、それ以外の場合にはビタビデコーダの第２検出器６１０を選択することが望ましい。
【００６０】
図７は、本発明の多重検出器を用いた光貯蔵媒体の再生装置のさらに他の実施例を示す。図７の実施例において、第１検出器７２０と第２検出器７３０とは、各々ランレングス補正器とビタビデコーダとである。
【００６１】
検出器選択はヘッダ信号如何によって決定される。すなわち、入力される信号がヘッダ区間信号である場合にはランレングス補正器である第１検出器７２０を通過させ、それ以外の信号区間ではビタビデコーダの第２検出器７３０を通過させるように検出器の選択がなされる。ヘッダ信号であるか否かは前処理部７００で把握されて制御部７１０に送られる。制御部７１０はヘッダ信号であるか否かの情報を提供されて検出器を選択しうる。
【００６２】
図７の実施例において光貯蔵媒体から読出した信号の再生がリアルタイムでなされるために、２進信号出力遅延時間が短いランレングス補正部７２０に追加的に遅延回路７２１を連結してビタビデコーダ７３０を通じて出る２進信号との全体的な出力タイミングを合わせられる。遅延回路７２１の遅延時間も制御部７１０で決定されうる。
【００６３】
図８は、図３の多重検出部に含まれうる検出器の例を示す図である。
【００６４】
図８Ａは、典型的なアナログ検出器であるスライサを示す。スライサは二値化器８００及び低域フィルター８０１を含む。光貯蔵媒体から読出して前処理部を経たＲＦ信号が二値化器８００を通過すれば２進信号が得られる。この際、二値化器８００の基準レベル（スライシングレベル）を決定することが重要であり、二値化器８００の出力信号を低域フィルター８０１を通過させて２進信号の直流成分を追従するようにした後、その追従されたレベルを基準レベルとして使用する。
【００６５】
図８Ｂはデジタル検出器の例を示す。デジタル検出器において、ＲＦ信号はシステムクロックによりサンプリングされ（８０２）、サンプリングされた信号は基準レベル（スライシングレベル）を減算した後（８０３）、符号検出回路８０４に入力される。符号検出回路８０４は順次に入力される２信号より平均を取ってその符号を判別して出力させる。ＤＣオフセット除去器８０３においてＤＣオフセットが除去されたサンプリング信号は再びＤＣオフセット除去器８０３に入力されてＤＣ成分が除去された基準レベルとなる。
【００６６】
図８Ｃは、ランレングス補正器が含まれたデジタル検出器の例である。ランレングス補正器８０５はサンプリングされてＤＣオフセットが除去された２進データのうちランレングス規則を違反するデータがある場合、そのランレングスを補償する回路である。例えば、ＣＤやＤＶＤのようなディスク系列では２進信号列のうち最も短いデータが３Ｔ（Ｔ、１チャンネルクロック周期）の長さを有するが、もし１Ｔや２Ｔの信号が検出されれば強制的に３Ｔに変換するなどの役割を行う。
【００６７】
図８Ｄは、ランレングス補正器が含まれた他のデジタル検出器の例である。等化器８０６はチャンネルの特性を最適にするために使われるＦＩＲフィルターの一種であって固定されたフィルター係数を有するか、可変されるフィルター係数を有すべく具現される。等化器８０６を通じてチャンネル特性が最適化された信号はランレングス補正器８０７を通じてランレングスを補正した後、２進データとして出力される。
【００６８】
図８Ｅは、検出器としてビタビデコーダが使われた場合を示す図である。サンプリングされてデジタル信号となって直流オフセットが除去されたＲＦ信号はビタビデコーダ８０８を通じて２進信号として出力される。ビタビデコーダ８０８はチャンネル特性に合うように最適の条件で２進信号を検出する方法である。これは単純な符号検出回路やランレングス補正方式に比べてその信号検出性能に優れると知られている。
【００６９】
図８Ｆは、ビタビデコーダが使われる検出器の他の実施例を示す。図８Ｅとは違ってこの実施例は等化器８０９をより含んでビタビデコーダに信号が入力される前に等化器８０９を通じて信号の最適化を可能にしたものである。
【００７０】
前述したように本発明が提案する多重検出器を用いた再生装置を用いて光貯蔵媒体を再生する場合、光貯蔵媒体から読出した信号の種類や仕様によって、そして検出器性能によって適した１つの検出器を選択して信号を検出して再生するので、全体的な信号再生性能が向上されうる。特にランレングス補正回路とビタビデコーダとを各々検出器として有する場合、ヘッダ信号が存在するＤＶＤ−ＲＡＭのような光貯蔵媒体の場合にヘッダ信号と非ヘッダ信号とを区分してヘッダ信号である場合はランレングス補正回路を、非ヘッダ信号である場合はビタビデコーダを各々選択して最適状態の信号検出及びデータ再生が可能となる。
【００７１】
【発明の効果】
本発明によれば、光貯蔵媒体より読出した信号を検出するために複数の検出器を使用することによって信号及び検出器条件などを考慮して最適の検出器を選択でき、それによって信号再生効率を高められる。
【図面の簡単な説明】
【図１】光貯蔵媒体に記録されたａ）２進信号、ｂ）光貯蔵媒体表面に記録されたピットの形状、及び ｃ）実際に読出したＲＦ信号の例を示す図である。
【図２】（ａ）は従来の光貯蔵媒体の再生装置のうち信号検出と関連した回路の例を示す図であり、（ｂ）は（ａ）に該当する検出器としてスライサ検出器を採用した検出器回路を示す図である。
【図３】本発明の多重検出器を用いた光貯蔵媒体の再生装置の実施例を示す図である。
【図４】本発明の多重検出器を用いた光貯蔵媒体の再生装置に関する詳細実施例を示す図である。
【図５】本発明の多重検出器を用いた光貯蔵媒体の再生装置の他の実施例を示す図である。
【図６】本発明の多重検出器を用いた光貯蔵媒体の再生装置のさらに他の実施例を示す図である。
【図７】本発明の多重検出器を用いた光貯蔵媒体の再生装置のさらに他の実施例を示す図である。
【図８Ａ】図３の多重検出部に含まれる検出器の例を示す図である。
【図８Ｂ】図３の多重検出部に含まれる検出器の例を示す図である。
【図８Ｃ】図３の多重検出部に含まれる検出器の例を示す図である。
【図８Ｄ】図３の多重検出部に含まれる検出器の例を示す図である。
【図８Ｅ】図３の多重検出部に含まれる検出器の例を示す図である。
【図８Ｆ】図３の多重検出部に含まれる検出器の例を示す図である。
【符号の説明】
３００  前処理部
３１０  多重検出部
３２０  遅延部
３３０  ＲＦ信号品質測定部
３４０  スイッチング部
３５０  ２進信号品質測定部
３６０  制御部
【図１】
0003991004.tif 000002
【図２】
0003991004.tif 000003
【図３】
0003991004.tif 000004
【図４】
0003991004.tif 000005
【図５】
0003991004.tif 000006
【図６】
0003991004.tif 000007
【図７】
0003991004.tif 000008
【図８Ａ】
0003991004.tif 000009
【図８Ｂ】
0003991004.tif 000010
【図８Ｃ】
0003991004.tif 000011
【図８Ｄ】
0003991004.tif 000012
【図８Ｅ】
0003991004.tif 000013
【図８Ｆ】
0003991004.tif 000014